(57)【特許請求の範囲】
【請求項１】
空気圧縮機で圧縮された空気と共に燃料をガスタービンに導き前記燃料を燃焼させてガスタービンを駆動し発電するようにしたガスタービン発電設備の前記ガスタービンの排ガスに希釈空気との混合アンモニアを噴霧して触媒との化学反応により窒素酸化物を除去するための脱硝装置を制御する脱硝制御装置において、
前記脱硝装置出口の窒素酸化物濃度検出値とその設定値との偏差に基づいて前記脱硝装置入口の窒素酸化物濃度とアンモニア注入量との比であるモル比の設定値を算出するモル比設定手段と、
前記空気圧縮機入口の大気温度変動による前記モル比設定値の補正値を算出するためのモル比設定補正手段と、
前記モル比設定補正手段で算出された前記補正値を前記モル比設定値に加算するための加算手段と、
前記モル比が前記加算手段で加算された値になるように前記アンモニア注入量を制御するためのモル比制御手段とを備え、
前記モル比設定補正手段は、予め空気圧縮機の入口空気温度とモル比の整定値との特性に基づいて定められた関数を記憶した関数発生器と、前記関数発生器の関数を更新するための関数更新手段とを備えたことを特徴とする脱硝制御装置。
【請求項２】
前記関数更新手段は、前記ガスタービンの運転中のデータを使ってファジィ推論により、前記関数発生器の関数を前記ガスタービンの運転に適した関数になるように更新するファジー推論部を有したことを特徴とする請求項１に記載の脱硝制御装置。
【請求項３】
前記関数更新手段は、前記関数発生器に予め記憶された関数上の複数のデータと前記ガスタービンの運転中のデータとを使って、最小自乗近似により、前記関数発生器の関数を更新する最小自乗推定部を有したことを特徴とする請求項１に記載の脱硝制御装置。
【請求項４】
前記関数更新手段は、前記ガスタービンの運転実績データと前記ガスタービンの運転中のデータとを使って、最小自乗近似により、前記関数発生器の関数を更新する最小自乗推定部を有したことを特徴とする請求項１に記載の脱硝制御装置。
【発明の詳細な説明】
【０００１】
【産業上の利用分野】
本発明は、ガスタービン発電設備におけるガスタービン排ガス中に含まれる窒素酸化物を除去するための脱硝装置を制御する脱硝制御装置に関する。
【０００２】
【従来の技術】
近年、エネルギー需要の増加は化石燃料に頼る傾向が強く、化石燃料によるエネルギー供給量が増大し、それに伴い二酸化炭素の排出量も増大している。このため地球温暖化の危機が叫ばれ、二酸化炭素の排出量を地球規模で規制しようとされている。このような背景からガスタービン設備、特にガスタービンサイクルと蒸気タービンサイクルとを組み合わせた複合発電プラントが期待されている。これは、高効率が期待できるので、二酸化炭素の削減にもつながるからである。
【０００３】
図９に、そのような複合発電プラントの概略系統図を示す。複合発電プラントは、ガスタービン装置１と、その排ガスを熱源として蒸気を発生する排熱回収ボイラ装置３と、この発生蒸気を駆動蒸気とする蒸気タービン装置４とを備えている。
【０００４】
ガスタービン装置１では、空気圧縮機７にて大気から空気６を導入し加圧する。その加圧空気は、燃料系統８から供給された燃料と共に燃焼器９に導かれる。燃焼器９での燃焼により生じた燃焼ガスにてガスタービン１０を駆動し、ガスタービン１０に直結された発電機１１にて負荷を取る。
【０００５】
また、ガスタービン１０からの排ガス流２は、排熱回収ボイラ装置３上流から下流に沿って流れる。排熱回収ボイラ装置３は、その上流から下流に沿って、過熱器１３、蒸発器１４、脱硝装置１５、節炭器１６を備えており、ガスタービン１０からの排ガス流２は、これらを通って煙突５から排出される。
【０００６】
一方、過熱器１３で生じた蒸気は、蒸気配管１７を通して蒸気タービン装置４の蒸気タービン１８に導かれる。蒸気タービン装置４では、蒸気タービンに直結された発電機１９にて負荷を取り、蒸気タービン１８から復水器２０を経て復水された後、給水配管２１により節炭器１６に導かれる。
【０００７】
節炭器１６において給水は過熱され、蒸発器１４で蒸発し、過熱器１３で過熱される。蒸発器１４において、給水は強制循環または温度差による自然循環をしながら、過熱及び蒸発が行われる。
【０００８】
このような構成の複合発電プラントでは、運転効率を上げると相対的に二酸化炭素を減少させることができる。そこで、燃焼温度を上げることが研究されているが、燃焼温度を上げるとガスタービン装置１から排出される窒素酸化物（以下、ＮＯｘという）は温度に対し指数関数的に増加する。このＮＯｘの濃度低減対策としては、燃焼器９に水または蒸気を注入して燃焼温度を下げる方法、局部的高温部を防止するための燃料と空気を混合して燃焼器９に導く予混合による方法、燃焼温度を平均化するための２段燃焼方法等がある。
【０００９】
一般に、これらのＮＯｘ濃度の低減方法だけでは、ＮＯｘの規制値達成は困難であるので、排ガス流路中に脱硝装置１５を設置している。この脱硝方式の１つであるアンモニア注入による乾式選択接触還元分解法は、排ガス中にアンモニアを注入し、その下流側で触媒２２を通過させることにより、ＮＯｘを無害の窒素分と水蒸気とに還元分解する方法である。この方法は、一般的に触媒の温度特性により３００℃〜４００℃での反応効率が良いため、脱硝装置１５は蒸発器１４と節炭器１６との間に設置される。このような脱硝装置１５の制御は、アンモニア注入系統２３よりの注入アンモニア量によって行われる。
【００１０】
図１０に、脱硝装置１５を制御する脱硝制御装置のブロック構成図を示す。脱硝制御装置１１６は、モル比設定手段３１とモル比制御手段３２とからなる。モル比設定手段３１は、モル比設定値１４６を算出するもので、脱硝装置１５の出口のＮＯＸ濃度検出値１０１とその設定値１００との偏差１０３、及び燃焼器９への水噴射量１２１に基づいて、脱硝装置１５の入口のＮＯＸ濃度とアンモニア注入量との比であるモル比の設定値１４６を算出する。一方、モル比制御手段３２は、モル比予測信号１２６とモル比設定値１４６との偏差１４７に基づいて、脱硝装置１５の入口のＮＯＸ濃度とアンモニア注入量との比であるモル比が、その設定値１４６になるようにアンモニア注入量を制御するものである。
【００１１】
すなわち、モル比設定手段３１は、ＮＯｘ濃度検出値１０１とＮＯｘ濃度設定値１００との差を取ってＮＯｘ濃度偏差信号１０３を出力する第１の加算器１０２と、ＮＯｘ濃度偏差信号１０３を入力しフィードバック処理を施す第１のＰＩ制御器１５７と、燃焼器９への水噴射量信号１２１にフィードフォワード処理を施すＦＦ制御器１５８と、第１のＰＩ制御器１５７の出力とＦＦ制御器１５８の出力を加算してモル比設定値信号１４６を出力する第２の加算器１５９とから構成されている。
【００１２】
一方、モル比制御手段３２は、アンモニア流量１２２をガス流量１２３で除算してアンモニア濃度信号１２５を出力する第１の除算器１３９と、アンモニア濃度信号１２５を予測ＮＯｘ信号１２４で除算してモル比予測信号１２６を出力する第２の除算器と、モル比設定値信号１４６とモル比予測信号１２６との差を取ってモル比偏差信号１４７を出力する第３の加算器１４２と、モル比偏差信号１４７を入力としフィードバック処理を施して制御信号１１５を出力する第２のＰＩ制御器１５６とから構成される。
【００１３】
条例等から定まるＮＯｘ濃度設定値１００と、脱硝装置１５の出口より排出されるＮＯｘ濃度検出値１０１とから第１の加算器１０２により、ＮＯｘ濃度偏差信号１０３が求められ、負のゲインを持つ第１のＰＩ制御器１５７に入力される。また、燃料器９への水噴射量信号１２１は負のゲインを持つＦＦ制御器１５８に入力される。第１のＰＩ制御器１５７の出力とＦＦ制御器１５８の出力は、第２の加算器１５９で加算されモル比設定値信号１４６となる。
【００１４】
一方、アンモニア流量信号１２２は第１の除算器１３９でガス流量１２３で除算されてアンモニア濃度信号１２５となる。このアンモニア濃度信号１２５は、さらに、第２の除算器１４０で予測ＮＯｘ信号１２４で除算されてモル比予測信号１２６となる。第３の加算器１４２は、モル比設定値信号１４６とモル比予測信号１２６との差を取ってモル比偏差信号１４７を出力する。モル比偏差信号１４７は、第２のＰＩ制御器１５６でフィードバック処理を施されて制御信号１１５となる。
【００１５】
いま、ＮＯｘ濃度検出値１０１が増加したとすると、ＮＯｘ濃度偏差信号１０３が負の値となり、負のゲインを持つ第１のＰＩ制御器１５７の出力及びモル比設定値信号１４６は増加する。このことから、モル比偏差信号１４７及び制御信号１１５も増加する。したがって、アクチュエータ１１７を介してアンモニア流量調整弁１１８が開操作され、アンモニアの注入量が増える。
【００１６】
また、燃焼器９への水噴射量信号１２１の増加時には、負のゲインを持つＦＦ制御器１５８の出力及びモル比設定値信号１４６は減少する。したがって、モル比偏差信号１４７及び制御信号１１５も減少するためアクチュエータ１１７を介してアンモニア流量調整弁１１８が閉操作され、アンモニアの注入量が減る。
【００１７】
このように従来の脱硝制御装置は、多少の誤差は含むが高速に入力できる予測ＮＯｘ信号１２４に基づいたモル比制御手段３２と、大きな遅れを有するが正確なＮＯｘ濃度検出値１０１に基づいたモル比設定手段３１とをカスケード方式で融合し、両者の長所を抽出しているので、従来の脱硝制御装置においても、高速かつ正確な脱硝制御を行うことができる。また、モル比制御手段３２における予測ＮＯｘに起因する誤差や経年変化による特性変動に対してもモル比設定手段３１がバックアップできるため安全かつ安定な制御が可能となる。
【００１８】
【発明が解決しようとする課題】
ところが、従来の脱硝制御装置では、モル比が天候、特に大気温度により変動した場合には、制御特性が変化して最適な状態から外れ制御性能が劣化する恐れも考えられる。このため、場合によっては、ＮＯｘが規制値を逸脱することも考えられる。
【００１９】
本発明の目的は、モル比が天候、特に大気温度により変動した場合にも、ＮＯｘが規制値を逸脱することがなく、天候の如何にかかわらず性能劣化を防止でき、柔軟かつ安全な脱硝制御装置を提供することにある。
【００２０】
【課題を解決するための手段】
本発明の脱硝制御装置は、ガスタービン発電設備の脱硝装置出口の窒素酸化物濃度検出値とその設定値との偏差に基づいて脱硝装置入口の窒素酸化物濃度とアンモニア注入量との比であるモル比の設定値を算出するモル比設定手段と、空気圧縮機入口の大気温度変動によるモル比設定値の補正値を算出するためのモル比設定補正手段と、モル比設定補正手段で算出された補正値をモル比設定値に加算するための加算手段と、モル比が加算手段で加算された値になるようにアンモニア注入量を制御するためのモル比制御手段とを備えている。
【００２１】
そして、モル比設定補正手段は、予め空気圧縮機の入口空気温度とモル比の整定値との特性に基づいて定められた関数を記憶した関数発生器を有しており、必要に応じて関数発生器の関数を更新するための関数更新手段を設けている。
【００２２】
この関数更新手段は、ガスタービンの運転中のデータを使ってファジィ推論により、関数発生器の関数をガスタービンの運転に適した関数になるように更新するファジー推論部で構成され、また、関数更新手段は、関数発生器に予め記憶された関数上の複数のデータとガスタービンの運転中のデータとを使って最小自乗近似により関数発生器の関数を更新する最小自乗推定部、あるいは、ガスタービンの運転実績データとガスタービンの運転中のデータとを使って最小自乗近似により関数発生器の関数を更新する最小自乗推定部で構成される。
【００２３】
【作用】
本発明の脱硝制御装置では、モル比設定手段で、ガスタービン発電設備の脱硝装置出口の窒素酸化物濃度検出値とその設定値との偏差に基づいて、脱硝装置入口の窒素酸化物濃度とアンモニア注入量との比であるモル比の設定値を算出し、一方、モル比設定補正手段で、空気圧縮機入口の大気温度変動によるモル比設定値の補正値を算出する。そして、加算手段でモル比設定補正手段で算出された補正値をモル比設定値に加算し、この加算された値になるように、モル比制御手段でアンモニア注入量を制御する。つまり、空気圧縮機の空気入口温度に基づいてモル比の補正値を算出し、このモル比の補正値でモル比設定値補正する。
【００２４】
したがって、空気圧縮器の空気入口温度が高くなったとすると、ＮＯＸ濃度検出値も高くなるので、モル比設定手段で算出されるモル比設定値も高くなるように動作しようとするが、モル比設定補正手段で、予めモル比の補正値を算出し、モル比設定値を補正するので、モル比設定値は空気圧縮器の空気入口温度が高くなったとしてもほぼ一定の値で落ち着く。すなわち、本発明では、モル比の補正値をこのモル比設定値の変化分を相殺するように算出し設定するので、モル比設定手段で算出されるモル比設定値は、ほぼ一定の値で落ち着く。このため、モル比が天候、特に大気温度により変動した場合にも、良好な制御特性が維持される脱硝制御が可能となる。このことから、天候の如何にかかわらず、性能劣化を防止でき、ＮＯＸが規制値を逸脱することもない。
【００２５】
【実施例】
以下、本発明の一実施例を説明する。図１は本発明の第１の実施例を示すブロック構成図である。図１０に示した従来例と同一部分には同一符号を付している。図１に示した第１の実施例と図１０に示した従来例と異なる点は、モル比設定手段３１及びモル比制御手段３２に追加して、モル比設定補正手段３３及び加算手段３４が設置されている点である。
【００２６】
モル比設定手段３１は、脱硝装置出口の窒素酸化物濃度検出値１０１とその設定値１００との偏差１０３及び燃焼器９への水噴射量信号１２１に基づいて、脱硝装置入口の窒素酸化物濃度とアンモニア注入量との比であるモル比の設定値を算出する。すなわち、条例等から定まるＮＯｘ濃度設定値１００と脱硝装置１５より排出されるＮＯｘ濃度検出値１０１とから第１の加算器１０２により、ＮＯｘ濃度偏差信号１０３が求められ、負のゲインを持つ第１のＰＩ制御器１５７に入力される。また、燃焼器９への水噴射量信号１２１は負のゲインを持つＦＦ制御器１５８に入力される。第１のＰＩ制御器１５７の出力とＦＦ制御器１５８の出力は、第２の加算器１５９で加算されモル比設定値信号１４６となる。
【００２７】
一方、モル比設定補正手段３３は、空気圧縮機７の空気入口温度２００に基づいてモル比補正信号２０２を算出する関数発生器２０１を有する。この関数発生器２０１の関数は、予め空気圧縮機７の入口空気温度２００とモル比の整定値との特性を考慮して作成される。したがって、空気圧縮機７の入口空気温度２００に基づいて、モル比設定値の補正値を出力することになり、空気圧縮機入口の大気温度変動によるモル比設定値の補正値であるモル比補正信号２０２を出力することになる。
【００２８】
モル比設定補正手段３３から出力されたモル比補正信号２０２は、加算手段３４の第４の加算器２０３に入力され、モル比設定手段３１からのモル比設定値信号１４６と加算される。つまり、加算手段３４の第４の加算器２０３にて、モル比設定値信号１４６とモル比補正信号２０２との和を取って補正設定信号２０４として出力する。
【００２９】
加算手段３４の出力信号は、モル比の補正設定値信号２０４としてモル比制御手段３２に入力され、モル比制御手段３２は、脱硝装置入口の窒素酸化物濃度とアンモニア注入量との比であるモル比が、加算手段３４からのモル比補正設定値信号２０４になるようにアンモニア注入量を制御する。
【００３０】
すなわち、アンモニア流量信号１２２は、第１の除算器１３９でガス流量１２３で除算されてアンモニア濃度信号１２５となる。さらにアンモニア濃度信号１２５は、第２の除算器１４０で予測ＮＯＸ信号１２４で除算されてモル比予測信号１２６となる。第３の加算器１４２は、モル比の補正設定信号２０４とモル比予測信号１２６との差を取ってモル比偏差信号１４７を出力する。モル比偏差信号１４７は、第２のＰＩ制御器１５６でフィードバック処理を施されて制御信号１１５となり、アクチュエータ１１７を介してアンモニア流量調整弁１１８を調節する。
【００３１】
いま、空気圧縮機７の空気入口温度２００が上昇したとする。本発明のモル比設定補正手段３３が無いとした場合のモル比設定手段３１の動作は、次のようになる。空気圧縮機７の空気入口温度２００が上昇したとすると、ＮＯｘ濃度検出値１０１が増加し、ＮＯｘ濃度偏差信号１０３が負の値となり、負のゲインを持つ第１のＰＩ制御器１５７の出力が増加する。これによって、モル比設定値信号１４６も増加する。モル比設定値信号１４６が増加すると、モル比偏差信号１４７及び制御信号１１５も増加するため、アクチュエータ１１７を介してアンモニア流量調整弁１１８が開操作され、アンモニア注入量が増えてモル比予測信号１２６も増加することになる。したがって、モル比が空気圧縮機７の空気入口温度２００、つまり大気温度により変動することになり、制御特性が変化する状態となる。
【００３２】
本発明のモル比設定補正手段３３は、このような制御特性の変化を避けるためのものである。モル比設定補正手段３３における関数発生器２０１には、モル比補正信号２０２がモル比設定値信号１４６の変化分を相殺するように設定されている。このモル比設定補正手段３３からのモル比補正信号２０２は加算手段３４に出力され、加算手段３４の第４の加算器２０３でモル比設定値信号１４６に加算され、補正設定信号２０４に補正される。つまり、モル比設定補正手段３３で、予め、空気圧縮機７の空気入口温度２００の変動によるモル比補正信号２０２を算出し、モル比設定値信号１４６を補正するので、モル比設定値信号１４６は空気圧縮器７の空気入口温度が高くなったとしてもほぼ一定の値で落ち着く。
【００３３】
したがって、十分な時間経過の後は、モル比予測信号１２６は増加したままでであっても、モル比設定値信号１４６は元の値に復旧しほぼ一定の値で落ち着く。このため、モル比が天候、特に大気温度により変動した場合にも、良好な制御性能を損なうことがなく、天候の如何にかかわらず性能劣化を防止でき、柔軟かつ安全な脱硝制御が可能となる。このように、大気温度の変動による複合発電プラントからの窒素酸化物の排出の変動を押さえ、安定な制御の可能な脱硝制御装置が提供できる。
【００３４】
また、図１に示す本発明の第１の実施例のブロック構成図においては、モル比設定補正手段３３の関数発生器２０１の関数を更新する関数更新手段３５を設けている。この関数更新手段３５は、ガスタービンの運転中のデータを使ってファジィ推論により関数発生器２０１の関数をガスタービンの運転に適した関数になるように更新するファジー推論部２０５と、その推論の際に使用する修正ルールを記憶した修正ルール記憶部２０６とを有している。
【００３５】
ファジー推論部２０５は、ガスタービン１０の起動完了時の大気温度２００及びモル比の補正設定信号２０４を入力し、図２に示すように、検出した大気温度２００（Ｔ）と基準空気温度ＴＢとの温度偏差ＴＤ、及び検出したモル比補正設定信号２０４（ＭＳ）と望ましいモル比設定値信号のＭＳ０との偏差、すなわち望ましいモル比補正量ＭＢ０算出する。そして、この望ましいモル比補正量ＭＢ０とモル比補正信号２０２（ＭＢ）との補正量偏差ＭＤを算出する。
【００３６】
図２の関数Ｋは関数発生器２０１の関数を示しており、その傾きはＡである。まず、ファジー推論部２０５は、検出した大気温度２００（Ｔ）と基準空気温度ＴＢとの温度偏差ＴＤを算出する。そして、検出したモル比補正設定信号２０４（ＭＳ）と望ましいモル比設定値信号のＭＳ０との偏差である望ましいモル比補正量ＭＢ０を算出する。一方、検出した大気温度２００（Ｔ）と関数Ｋとからモル比補正信号２０２（ＭＢ）を算出し、この望ましいモル比補正量ＭＢ０とモル比補正信号２０２（ＭＢ）との補正量偏差ＭＤを算出する。
【００３７】
そして、関数発生器２０１の関数Ｋの切片Ｍの修正量ＤＭと、関数Ｋの傾きＡの修正量ＤＡとを、図３に示すようにクラスリングする。
【００３８】
次に、関数Ｋの傾きＡの修正量ＤＡに関しては、図４に示す修正ルールでファジィ推論を実施する。一方、関数Ｋの切片Ｍの修正量ＤＭに関しては、図５に示す修正ルールでファジィ推論を実施する。
【００３９】
このファジィ推論の実施はガスタービン１０の起動の度に実施し、関数発生器２０１の関数を更新する。これにより、関数発生器の関数Ｋはプラント特性に合致した特性を有するものに修正される。
【００４０】
次に、本発明の第２の実施例を図６に示す。この第２の実施例は、第１の実施例におけるモル比設定補正手段３３の関数更新手段３５を最小自乗推定部２０７で構成したものである。この最小自乗推定部２０７は、関数発生器２０１に予め記憶された関数上の複数のデータと、ガスタービン１０の運転中のデータとを使って、最小自乗近似により、関数発生器２０１の関数を更新する。
【００４１】
すなわち、最小自乗推定部２０７は、図７中の○印で示す更新前の関数Ｋ１上の複数のデータと、●印で示すタービン運転中のデータとを使って、最小自乗近似により、関数発生器２０１の関数を更新する。○印で示す更新前の関数Ｋ１上の複数のデータは、その更新前の関数Ｋ１上に大気温度を適度に分散させて、例えば、７点のデータを取り、一方、●印で示すタービン運転中のデータは、ガスタービン１０の起動完了時の大気温度２００（Ｔ）と、望ましいモル比補正量ＭＢ０とで定まるデータとする。この８点すべてのデータに対して最小自乗推定を行って、関数発生器２０１の関数を起動の度に更新する。これにより、関数発生器の更新後の関数Ｋ２は、プラント特性に合致した特性を有するものに修正される。
【００４２】
以上の説明では、最小自乗推定に用いるデータはガスタービン運転中のデータと更新前の関数Ｋ１上の数点としたが、ガスタービン運転中のデータとガスタービンの運転実績データとを使って、最小自乗近似により、関数発生器２０１の関数を更新するようにしても良い。
【００４３】
ガスタービン運転中のデータは、図８中の●印で示されており、図７に示したデータと同様に、ガスタービン１０の起動完了時の大気温度２００（Ｔ）と、望ましいモル比補正量ＭＢ０とで定まるデータである。一方、ガスタービンの運転実績データは、図８中の□印で示すように、●印で示したガスタービン運転中のデータの過去の実績データである。この過去の●印で示したガスタービン運転中のデータを運転実績データの履歴として記憶しておき、当日のガスタービン運転中のデータと、この運転実績データとに対して、最小自乗推定を行って関数発生器２０１の関数を起動の度に更新する。このようにしても上述も場合と同様の効果が得られる。
【００４４】
【発明の効果】
以上述べたように本発明によれば、天候の変化などに基づく脱硝特性の変動に対しても制御性能の劣化が少ない。柔軟かつ安全な脱硝装置を実現できる。
【００４５】
本発明では、大気温度の変動によるモル比設定値の変化分を相殺するように、モル比設定補正手段でモル比の補正値を算出し設定するので、モル比設定手段で算出されるモル比設定値は、ほぼ一定の値で落ち着く。したがって、モル比が天候、特に大気温度により変動した場合にも、良好な制御特性が維持される脱硝制御が可能となる。このことから、天候の如何にかかわらず、性能劣化を防止でき、ＮＯＸ  が規制値を逸脱することもない。
【００４６】
また、モル比設定補正手段での補正値を算出する関数発生器の関数を、そのプラント特性に合わせて補正するようにしているので、プラント特性に合致した脱硝制御が可能となる。
【図面の簡単な説明】
【図１】本発明の第１の実施例を示すブロック構成図
【図２】本発明におけるファジー推論部でのモル比補正量の説明図
【図３】本発明におけるファジー推論部でのファジィ推論の説明図
【図４】本発明における関数の傾きの増分に対する修正ルールの説明図
【図５】本発明における関数の切片の増分に対する修正ルールの説明図
【図６】本発明の第２の実施例を示すブロック構成図
【図７】本発明における最小自乗推定部での関数更新の一例を示す説明図
【図８】本発明における最小自乗推定部での関数更新の他の一例を示す説明図
【図９】複合発電プラントの構成図
【図１０】従来例のブロック構成図
【符号の説明】
１  ガスタービン装置
３  排熱回収ボイラ
４  蒸気タービン装置
７  空気圧縮機
１０  ガスタービン
１５  脱硝装置
３１  モル比設定手段
３２  モル比制御手段
３３  モル比設定補正手段
３４  加算手段
３５  関数更新手段
２０１  関数発生器
１１６  脱硝制御装置
【図１】
0003580586.tif 000002
【図２】
0003580586.tif 000003
【図３】
0003580586.tif 000004
【図４】
0003580586.tif 000005
【図５】
0003580586.tif 000006
【図６】
0003580586.tif 000007
【図７】
0003580586.tif 000008
【図８】
0003580586.tif 000009
【図９】
0003580586.tif 000010
【図１０】
0003580586.tif 000011